(57)【要約】【課題】魚の引き寄せ効果が十分で、沈降速度も速いルアーを提供する。【解決手段】本発明は、胴部３と、その胴部３の前端に取り付けられた頭部２とを備え、背面側の前部にライン取付用のラインアイ５１が設けられたルアー１を対象とする。頭部２は、重金属によって構成されるとともに、胴部３は、硬質合成樹脂によって構成される。前記ラインアイにラインの張力が作用する際にルアー１が水中でほぼ水平な姿勢に保持されるように、ラインアイ５１の位置が設定されている。【選択図】図２
2015047137.tif 000002
【特許請求の範囲】
【請求項１】
胴部と、その胴部の前端に取り付けられた頭部とを備え、背面側の前部にライン取付用のラインアイが設けられたルアーであって、
前記頭部は、重金属によって構成されるとともに、
前記胴部は、硬質合成樹脂によって構成され、
前記ラインアイにラインの張力が作用する際にルアーが水中でほぼ水平な姿勢に保持されるように、前記ラインアイの位置が設定されていることを特徴とするルアー。
【請求項２】
総重量が３０ｇ〜５００ｇに調整されている請求項１に記載のルアー。
【請求項３】
前記胴部は、中空構造に形成されている請求項１または２に記載のルアー。
【請求項４】
前記胴部は、比重が一般的な海水の比重である１．０３以下に設定されている請求項１〜３のいずれか１項に記載のルアー。
【請求項５】
前記ラインアイが前記頭部に設けられている請求項１〜４のいずれか１項に記載のルアー。
【請求項６】
前記胴部にフック等のパーツ取付用のアイが設けられている請求項１〜５のいずれか１項に記載のルアー。
【請求項７】
前記胴部内に全長方向に沿って金属製の補強ワイヤーが埋設され、
前記胴部の複数の位置において、前記補強ワイヤーが部分的に外部に引き出されて、その補強ワイヤーの各引出部によってフック等のパーツ取付用のアイがそれぞれ形成されている請求項１〜６のいずれか１項に記載のルアー。
【請求項８】
前記補強ワイヤーの前端部が、前記頭部内に埋設され、
前記頭部の背面側において、前記補強ワイヤーが部分的に外部に引き出されて、その補強ワイヤーの背面側の引出部によって前記ラインアイが形成されている請求項７に記載のルアー。
【請求項９】
前記胴部の内部にウエイトが装着されている請求項１〜８のいずれか１項に記載のルアー。
【請求項１０】
前記頭部が前記胴部に対し着脱自在に取り付けられている請求項１〜９のいずれか１項に記載のルアー。
【発明の詳細な説明】
【技術分野】
【０００１】
この発明は、ルアーフィッシングに使用されるルアーに関する。
【背景技術】
【０００２】
従来、プラグやジグを呼ばれるルアーにおいて、外形を魚体に似せて製作されたものが周知である。
【０００３】
例えば下記特許文献１に示すプラグ型のルアーは、金属又は合成樹脂の外殻と、その外殻の内部に充填された合成樹脂発泡体とを備えている。このルアーは、岸釣りに適しており通常、浅場でのフィッシングに好適に使用できるものの、船での沖釣りにおける深場を狙うフィッシングには不向きである。すなわちこのようなルアーは、軽量で比重が小さいため、沈降速度が遅く、ルアーを投入する際に、ルアーを目的の水深に到達させるまでの時間が長くなり、不満を感じてしまう。
【０００４】
一方、沖釣り等の深場でのフィッシングには、メタルジグと称されるルアーが多く用いられている。
【０００５】
例えば下記特許文献２に示すメタルジグ型のルアーは、細長い小魚形状のボディを備え、そのボディ全体が鉛やタングステン等の金属によって構成されている。このルアーは、高重量で比重が大きいため、沈降速度が速く、ルアーを投入する際に目的の水深まで短時間で到達させることができる。
【先行技術文献】
【特許文献】
【０００６】
【特許文献１】特許第２８０７１８６号公報
【特許文献２】特許第５１１７３３３号公報
【発明の開示】
【発明が解決しようとする課題】
【０００７】
ところで、魚（フィッシュイーター）がベイトにアタックする際の習性は、魚種によって異なるが、例えば太刀魚等のフィッシュイーターは、ベイトのほぼ真下から上向きに急上昇しながらアタックする習性を持っている。
【０００８】
一方、上記特許文献２に示す従来のルアーは、細長いボディの先端（頭部）にラインを結び付けるようになっているため、ルアー投入後にリトリーブして、フィッシュイーターを引きつける際には、ルアーは、その頭部を上にした上向きの姿勢で上昇し、あるいは潮の流れが強い場合でも斜め上向きの姿勢で上昇していくような挙動となる。このためこのようなルアーに対し、上記太刀魚のようなフィッシュイーターのアタックポイントは、ルアーの尾部の一点だけとなってしまい、魚の引き寄せ効果が不十分となり、魚の食い付きが悪いという課題が発生する。
【０００９】
なお、浅場でのルアーフィッシングでは、ロッド操作によってある程度、ルアーの姿勢や動作をコントロールすることができるが、深場でのルアーフィッシングでは、ルアーの姿勢や動作をコントロールすることは困難である。このため、既述したように深場でのルアーフィッシングでは、ロッド操作による魚の引き寄せ効果を向上させることには限界がある。
【００１０】
この発明は、上記の課題に鑑みてなされたものであり、魚の引き寄せ効果を十分に得ることができるとともに、沈降速度も速くて深場でのフィッシングにも難なく用いることができるルアーを提供することを目的とする。
【課題を解決するための手段】
【００１１】
上記目的を達成するため、本発明は以下の構成を要旨とするものである。
【００１２】
［１］胴部と、その胴部の前端に取り付けられた頭部とを備え、背面側の前部にライン取付用のラインアイが設けられたルアーであって、
前記頭部は、重金属によって構成されるとともに、
前記胴部は、硬質合成樹脂によって構成され、
前記ラインアイにラインの張力が作用する際にルアーが水中でほぼ水平な姿勢に保持されるように、前記ラインアイの位置が設定されていることを特徴とするルアー。
【００１３】
［２］総重量が３０ｇ〜５００ｇに調整されている前項１に記載のルアー。
【００１４】
［３］前記胴部は、中空構造に形成されている前項１または２に記載のルアー。
【００１５】
［４］前記胴部は、比重が一般的な海水の比重である１．０３以下に設定されている前項１〜３のいずれか１項に記載のルアー。
【００１６】
［５］前記ラインアイが前記頭部に設けられている前項１〜４のいずれか１項に記載のルアー。
【００１７】
［６］前記胴部にフック等のパーツ取付用のアイが設けられている前項１〜５のいずれか１項に記載のルアー。
【００１８】
［７］前記胴部内に全長方向に沿って金属製の補強ワイヤーが埋設され、
前記胴部の複数の位置において、前記補強ワイヤーが部分的に外部に引き出されて、その補強ワイヤーの各引出部によってフック等のパーツ取付用のアイがそれぞれ形成されている前項１〜６のいずれか１項に記載のルアー。
【００１９】
［８］前記補強ワイヤーの前端部が、前記頭部内に埋設され、
前記頭部の背面側において、前記補強ワイヤーが部分的に外部に引き出されて、その補強ワイヤーの背面側の引出部によって前記ラインアイが形成されている前項７に記載のルアー。
【００２０】
［９］前記胴部の内部にウエイトが装着されている前項１〜８のいずれか１項に記載のルアー。
【００２１】
［１０］前記頭部が前記胴部に対し着脱自在に取り付けられている前項１〜９のいずれか１項に記載のルアー。
【発明の効果】
【００２２】
発明［１］のルアーによれば、頭部が高比重の重金属、胴部が低比重の硬質樹脂によって構成されているため、ルアーを投入する際、つまりラインからの張力が加わっていない状態では、ルアーが頭部を下向きにしたほぼ垂直な姿勢となって沈降していく。このため、ルアーの水流抵抗が小さくなって沈降速度が速くなり、例えば深場でのフィッシングにも難なく採用することができる。さらに本発明のルアーは、リトリーブ時にラインの張力が加わると、ほぼ水平な姿勢に保持されて、活き餌や本物の小魚のような挙動をとり、魚の引き寄せ効果を向上させることができる。
【００２３】
発明［２］〜［４］のルアーによれば、沈降速度をさらに速くすることができるため、深場でのフィッシングに、より好適に採用することができる。
【００２４】
発明［５］［６］のルアーによれば、上記の効果をより確実に得ることができる。
【００２５】
発明［７］［８］のルアーによれば、強度を向上させることができるため、耐久性を向上させることができる。
【００２６】
発明［９］［１０］のルアーによれば、重量バランスの微調整を行うことができるため、上記沈降速度や魚の引き寄せ効果を、より確実に向上させることができる。
【図面の簡単な説明】
【００２７】
【図１】図１はこの発明の実施形態であるルアーを示す側面図である。
【図２】図２は実施形態のルアーを示す側面断面図である。
【図３】図３はこの発明の第１変形例であるルアーを示す側面断面図である。
【図４】図４はこの発明の第２変形例であるルアーを示す側面断面図である。
【図５】図５はこの発明の第３変形例であるルアーを示す側面断面図である。
【発明を実施するための形態】
【００２８】
図１はこの発明の実施形態であるルアー１を示す側面図、図２はそのルアー１を示す側面断面図である。なお本実施形態においては、発明の理解を容易にするために、図１の紙面に向かって左右方向を「前後方向」または「体長方向」とし、図１の上下方向を「上下方向」として説明する。さらに本実施形態いおいては、図１の上方側を「背面側」とし、下方側を「腹面側」として説明する。
【００２９】
両図に示すように、このルアー１は、外形が細長い小魚の形状を有するプラグ型に属しており、前端部を構成する頭部２と、その頭部２の後側に取り付けられる胴部３とを備えている。
【００３０】
本実施形態において、頭部２は、鉛製のものであり、後端部に後方に突出するように嵌合凸部２５が形成されている。
【００３１】
頭部２内には、後に詳述するように金属製の補強ワイヤー４がその一部が頭部２の外部に引き出された状態で埋設されている。この頭部２は例えば、溶融した鉛を型内で凝固させて製作されるものであり、その型加工する際に補強ワイヤー４を頭部２内に埋設状態に固定するようにしている。
【００３２】
補強ワイヤー４は、頭部２の内部に埋設された頭部埋設部４１と、頭部２の嵌合凸部２５における後端面の上部から後方に引き出された上側胴部埋設部４４と、嵌合凸部後端面の下部から後方に引き出された下側胴部埋設部４５とを有している。
【００３３】
頭部埋設部４１の一部は、頭部２の上面側（背面側）における胴部３の近傍から上方に引き出されて、逆Ｕ字状に下方に折り返されて頭部４１内に埋入されており、その部分が頭部引出部４２として構成されている。
【００３４】
下側胴部埋設部４５は後方に延びてから下方に屈曲され、さらにＵ字状に上方に折り返されてから後方に屈曲されている。この下側胴部埋設部４５のＵ字状に折り返された部分が、腹部引出部４６として構成されている。
【００３５】
本実施形態においては、頭部引出部４２が、ライン（釣り糸）を取り付けるためのラインアイ５１として機能するものである。さらに後述するように胴部引出部４６が、フック（釣り針）をとりつけるためのフックアイ５５として機能するものである。
【００３６】
なお、ラインアイ５１には、ライン以外のもを取り付けて良く、例えばヨリモドシやスプリットリング等のパーツを取り付けても良い。さらにフックアイ５５には、フック以外のものを取り付けても良く、例えばブレード等のパーツを取り付けても良い。この点は、後述のフックアイ５３，５４においても同様である。本実施形態においては、これらのフックアイ５３〜５４は、パーツ取付用のアイを構成するものである。
【００３７】
本実施形態において、頭部２は、鉛によって構成されているが、それだけに限られず、本発明においては、重金属であれば、どのような金属で構成しても良い。ここで、重金属とは、比重が４以上の金属であり、本発明の頭部２に好適に採用できるものとしては、例えば鉛、タングステン、亜鉛、ビスマス、ステンレス等を例示することができる。
【００３８】
胴部３は、硬質合成樹脂の成形品（プラスチック成形品）によって構成されている。本実施形態において、胴部２は左右に分割可能な２つの半割体３０を合体させて形成されている。２つの半割体３０は、左右対称形状（鏡像対象形状）に形成されており、図２の断面図においては、一方の半割体３０が取り外されて、他方の半割体３０の内面側が示された状態となっている。
【００３９】
胴部３には、その前端部に前方に向けて開放する嵌合凹部３５が形成されている。この嵌合凹部３５の内周形状は、上記頭部２における嵌合凸部２５の外周形状に対応して形成されており、嵌合凹部３５内に嵌合凸部２５を適合状態に嵌合できるようになっている。
【００４０】
また胴部３内における前端部には、上記補強ワイヤー４の胴部埋設部４４，４５に対応して、ワイヤー設置凹部３１が形成されており、この凹部３１内に、補強ワイヤー４の胴部埋設部４４，４５を設置できるようになっている。
【００４１】
本実施形態においては、ワイヤー設置凹部３１内に補強ワイヤー４の胴部埋設部４４，４５を設置した状態では、補強ワイヤー４におけるＵ字状の腹部引出部４６が胴部３の腹面側の腹びれに相当する位置から外部に引き出された状態となり、フックアイ５２として機能するものである。
【００４２】
胴部３における後部の腹面側の尻びれに相当する位置には、フックアイ設置凹部３６が形成されている。この凹部３６に取り付けられるフックアイ５３には、埋設リング５３１が一体に形成されており、この埋設リング５３１が胴部３のフックアイ設置凹部３６に固定されて、フックアイ５３が胴部３の腹面側から下方に引き出された状態に配置される。
【００４３】
また胴部３の後端部の尾びれに相当する位置には、フックアイ設置凹部３７が形成されている。この凹部３７に取り付けられるフックアイ５４には、埋設軸５４１が一体に形成されており、この埋設軸５４１が胴部３のフックアイ設置凹部３７に固定されて、フックアイ５４が胴部３の後端部から後方に引き出された状態に配置される。
【００４４】
既述した通り、胴部３は２つの半割体３０によって構成されており、本実施形態のルアー１の組付手順としてはまず、一方の半割体３０の所定位置に、頭部２の嵌合凸部３５、補強ワイヤー４、フックアイ５３，５４等の埋設部材をそれぞれ配置する。その後、他方の半割体３０を一方の半割体３０に重ね合わせて、両半割体３０によって上記埋設部材を挟持し、その状態で両半割体３０，３０を互いに接着固定するものである。
【００４５】
こにれより、補強ワイヤー４の一部が胴部３内に実質的に埋設された状態となっている。さらに補強ワイヤー４の胴部埋設部４４，４５が胴部３のワイヤー設置凹部３１に係止することによって、頭部２の胴部３からの抜け止めが図られている。
【００４６】
また両半割体３０は、胴部３の外殻部を構成するものであり、胴部３は実質的に中空構造となっている。さらに本実施形態において、胴部３は、比重を一般的な海水の比重である１．０３以下に調整するのが良く、より好ましくは１．００以下調整するのが良い。
【００４７】
本実施形態において、胴部３（半割体３０）の材料として、アクリロニトリル、ブタジエン、スチレン共重合樹脂（ＡＢＳ樹脂）が用いられているが、本発明において、この材料は特に限定されるものではない。例えばＡＢＳ樹脂以外の材料としては、ポリカーボネート樹脂（ＰＣ樹脂）等を好適に用いることができる。また本発明においては、胴部３は、硬質合成樹脂の熱成形品によって構成されていれば良く、樹脂発泡品によって構成しても良い。
【００４８】
ここで、本実施形態のルアー１においては、ラインアイ５１に結びつけられたラインによって、ルアー１が水中で吊持されて、ライン５１による上向きの張力が加わった状態（リトリーブ時）に、水中でルアー１がほぼ水平な姿勢に保持されるように、ラインアイ５１の頭部２に対する位置が設定されている。
【００４９】
例えばラインアイ５１の取付位置が、ルアー１の重心にほぼ対応する位置からその後方にかけての位置に配置されている。
【００５０】
ここで本実施形態において、ルアー１がほぼ水平と言うのは、ルアー１の体長方向に平行な仮想線が、水平線に対し±３５°以内、好ましくは±３０°以内の場合である。
【００５１】
また本実施形態においては、アイ５１〜５４にフック等のパーツを取り付けた状態、つまり実使用状態において、リトリーブ時に水中でルアー１がほぼ水平に配置されるように構成するのが好ましい。もっとも、本発明においては、アイ５１〜５４に何も付けない状態や、いずれかのアイのみにフック等を取り付けた状態で、リトリーブ時に水中でルアー１がほぼ水平に配置されるように構成しても良い。
【００５２】
以上のように構成された本実施形態のルアー１は、前端部の頭部２が高比重の重金属によって構成されるとともに、後側の胴部３が低比重の樹脂成形品によって構成されて、重心が前端部に配置されている。このためこのルアー１を用いてルアーフィッシングを行う場合、ルアー１を投入する際には、ラインからの張力が加わっていないため、ルアー１が頭部２を下向きにした垂直な姿勢となって沈降していく。従ってルアー１の水流抵抗が小さくなるため、沈降速度が非常に速くなる。つまり船による沖釣りのように水深の深い深場で、ルアーフィッシングを行うような場合であっても、ルアー投入時にルアー１を目的の水深まで短時間で到達させることができ、ルアー投入時の不満を解消することができる。
【００５３】
ここで本実施形態のルアー１において、沈降速度を一層高めて、深場での使用を一層快適なものとするために、ルアー１の総重量を３０ｇ〜５００ｇに調整するのが好ましい。すなわち重量が軽過ぎる場合には、十分な沈降速度を確保することが困難になるおそれがある。
【００５４】
一方、本実施形態のルアー１を、ルアー投入後にリトリーブして、フィッシュイーターを誘う際には、ラインアイ５１にラインの張力が加わってルアー１がほぼ水平な姿勢に保たれるため、ルアー１が活き餌や本物の小魚のような挙動をとるようになる。従って魚の引き寄せ効果が向上して、食い付きが良くなり、ルアーフィッシングを堪能することができる。
【００５５】
特に太刀魚のようにベイトの真下から上向きにアタックするようなフィッシュイーターをターゲットとする場合、ルアー１が水平に保持されていると、ルアー１に対するアタックポイントが広くなり、魚の引き寄せ効果を一層向上させることができ、より快適なルアーフィッシングを体感することができる。
【００５６】
さらにダートアクションを行った場合でも、ルアー１は水平姿勢、垂直姿勢、斜め姿勢等の多種多様な姿勢に繰り返し急速に変化することにより、本物の小魚が逃げ惑うような挙動と似通った挙動をとるため、魚の引き寄せ効果を、より一層向上させることができる。
【００５７】
また本実施形態のルアー１は、胴部３が硬質合成樹脂によって構成しているため、十分な耐久性を得ることができる。例えば軟質合成樹脂によって構成されるソフトベイト型のルアーでは、フィッシュイーターに食いちぎられることがあるが、本実施形態のルアー１は、胴部３が硬いため、胴部３が食いちぎられるような不具合を防止でき、胴部３の破損を防止することができ、十分な耐久性を得ることができる。
【００５８】
さらに本実施形態のルアー１は、胴部３が硬質合成樹脂によって構成されているため、ヒットした際には胴部３が振動することにより、その振動をラインおよびロッドを介して使用者（釣り人）が感じ取ることができる。つまり、使用者はヒットのタイミングを的確に把握でき、フッキングのタイミングを逃すような不具合を確実に防止することができる。
【００５９】
また本実施形態においては、ラインアイ５１および腹びれ部のフックアイ５２を、頭部２に埋設した補強ワイヤー４の一部によって構成しているため、これらのアイ５１，５２の強度を向上させることができ、耐久性を一層向上させることができる。
【００６０】
また本実施形態においては、胴部３を構成する２つの半割体３０，３０を分離させれば、頭部２を簡単に取り外すことができる。つまり頭部２は胴部３に対し着脱自在に取り付けられているため、必要に応じて、頭部２を、重量、大きさ、形状の異なる頭部２に付け替えることができる。このためこのルアー１は、使用場所等に応じて、重量や形状の変更を簡単に行うことができ、使い勝手が良く、汎用性を向上させることができる。
【００６１】
図３はこの発明の第１変形例であるルアー１１を示す側面断面図である。同図に示すように、このルアー１１は、補強ワイヤー４の下側胴部埋設部４５が後端部まで延長されている点において、上記第１実施形態のルアー１と大きく相違する。
【００６２】
すなわちこのルアー１１は、胴部３内において、補強ワイヤー４の下側胴部埋設部４５が後方に延長されて、尻びれに相当する部分で下方に屈曲されて胴部３の下方に引き出されてからＵ字状に上方に折り返されて胴部３内に埋入されており、このＵ字状の折り返し部が尻部引出部４７として構成されている。さらに補強ワイヤー４は、胴部３内において、尻部引出部４７から後方に延長されて、胴部後端の尾びれに相当する部分で後方に引き出されてからＵ字状に折り返されて胴部３内に埋入されており、このＵ字状の折り返し部が尾部引出部４８として構成されている。
【００６３】
そしてこの第１変形例のルアー１１においては、尻部引出部４７および尾部引出部４８がそれぞれフックアイ５３，５４として機能するものである。
【００６４】
この第１変形例のルアー１３において、他の構成は上記第１実施形態と実質的に同様であるため、同一または相当部分に同一符号を付して重複説明は省略する。
【００６５】
この第１変形例のルアー１１においても、上記と同様に同様の作用効果を得ることができる。
【００６６】
その上さらに、この第１変形例のルアー１１は、金属製の補強ワイヤー４が胴部３の先端から後端まで配置されるとともに、このワイヤー４にアイ５３，５４も一体に形成されているため、胴部３およびアイ５３，５４の強度を向上させることができ、より一層耐久性を向上させることができる。
【００６７】
図４はこの発明の第２変形例であるルアー１２を示す側面断面図である。同図に示すように、このルアー１２は、胴部３における半割体３０の内面側にウエイト設置凹部３９が形成されており、この凹部３９内に球状のウエイト（重り）６が設置されている。これにより、胴部３内にウエイト６が埋設されている。
【００６８】
この第２変形例のルアー１２において、他の構成は上記第１実施形態と実質的に同様であるため、同一または相当部分に同一符号を付して重複説明は省略する。
【００６９】
この第２変形例のルアー１２においても、上記第１実施形態と同様に同様の作用効果を得ることができる。
【００７０】
その上さらに、この第２変形例のルアー１２は、胴部３内にウエイト６を設置することにより、ルアー１２全体の重量バランスを微調整することができ、ルアー投入時やリトリーブ時、特にリトリーブ時に、上記したようにルアー１２を所望の適切な姿勢（挙動）に制御でき、魚の引き寄せ効果をなお一層向上させることができる。
【００７１】
なお本発明において、ウエイト６の取付位置は、特に限定されることなく、どの位置に取り付けても良いし、ウエイト６の取付個数も、特に限定されることなく、２個以上取り付けるようにしても良い。さらにウエイト６の形状も、特に限定されるものではなく、どのような形状のものも採用することができる。
【００７２】
図５はこの発明の第３変形例であるルアー１３を示す断面図である。同図に示すように、このルアー１３は、上記第１変形例のルアー１１と同様に補強ワイヤー４が後方に延長されるとともに、上記第２変形例のルアー１２と同様にウエイト６が取り付けられている。
【００７３】
この第３変形例のルアー１３において、他の構成は上記第１実施形態等と実質的に同様であるため、同一または相当部分に同一符号を付して重複説明は省略する。
【００７４】
この第３変形例のルアー１３においても、上記第１実施形態、第１変形例および第２変形例と同様に同様の作用効果を得ることができる。
【００７５】
なお、上記実施形態等においては、ラインアイ５１を頭部２に配置する場合を例に挙げて説明したが、それだけに限られず、本発明においては、胴部３の頭部近傍に配置するようにしても良い。
【００７６】
また本発明のルアーは、既述したとおり沖釣り、船釣り等に最適であるが、言うまでもなく、岸釣り、投げ釣り、川釣り、湖沼釣り等にも用いることができるとともに、水深の浅い浅場でのフィッシングにも用いることができる。
【００７７】
また上記実施形態においては、胴部が中空構造のルアーを例に挙げて説明したが、それだけに限られず、本発明においては、胴部に空洞がない中実構造のルアーにも適用することができる。
【００７８】
また上記実施形態においては、胴部３を２つの半割体３０，３０によって構成し、両半割体３０，３０で補強ワイヤー４やアイ５３，５４を挟み込むようにして取り付けるようにしているが、それだけに限られず、本発明において、胴部の形成方法は特に限定されるものではない。例えば補強ワイヤーやアイをインサート材として、インサート成形することによってワイヤーやアイを樹脂製胴部に固定するようにしても良い。
【００７９】
また言うまでもなく、本発明において、ルアーの外表面に、着色や描画等により化粧を施して、本物の小魚に一層近付けるように見せかけたり、光沢を付与したりして、魚の引き寄せ効果をさらに向上させるようにしても良い。
【産業上の利用可能性】
【００８０】
この発明のルアーは、船釣り等のルアーフィッシングに好適に用いることができる。
【符号の説明】
【００８１】
１，１１，１２，１３：ルアー
２：頭部
３：胴部
４：補強ワイヤー
４２，４６〜４８：引出部
５１：ラインアイ
５２〜５４：フックアイ
６：ウエイト
【図１】
2015047137.tif 000003
【図２】
2015047137.tif 000004
【図３】
2015047137.tif 000005
【図４】
2015047137.tif 000006
【図５】
2015047137.tif 000007